(57)【要約】【課題】開示要求を行うことなくデータファイルの共有化を実現し、また、データファイルを共有するためのユーザの負担を軽減する。【解決手段】通信端末装置１０、２０を、共有フォルダ、および共有フォルダの共有先データを登録可能な記憶部３と、他の通信端末との間でメールの送受信を行う通信部１と、共有フォルダに新たにデータが登録されると、登録された共有先の通信端末に新たなデータをメールに添付して通信部１を介して送信する制御部２と、により構成した。【選択図】図１
2008250572.tif 000002
【特許請求の範囲】
【請求項１】
共有フォルダ、および前記共有フォルダの共有先データを登録可能な記憶部と、
他の通信端末との間でメールの送受信を行う通信部と、
前記共有フォルダに新たに共有データが登録されると、前記登録された共有先データに対応する通信端末に前記新たな共有データを前記メールに添付して前記通信部を介して送信する制御部と、
を有することを特徴とする通信端末装置。
【請求項２】
前記制御部は、
前記共有先データが新たに追加登録されると、前記新たな共有先データに対応する通信端末に前記共有フォルダ内の共有データを前記メールに添付して送信する
ことを特徴とする請求項１に記載の通信端末装置。
【請求項３】
前記制御部は、
前記通信部にて前記他の通信端末から新たな共有フォルダの登録情報を受信すると、該新たな共有フォルダに対応する共有フォルダを前記記憶部に作成する
ことを特徴とする請求項１または２に記載の通信端末装置。
【請求項４】
前記制御部は、
前記通信部にて前記共有先データに対応する通信端末から新たな共有データが添付されたメールを受信すると、前記記憶部の共有フォルダに前記新たな共有データを記憶させる
ことを特徴とする請求項１から３のいずれか１項に記載の通信端末装置。
【請求項５】
前記制御部は、
前記記憶部に記憶された共有フォルダ内の共有データを削除する場合、前記共有先データとして登録されている共有先の通信端末に、前記通信部を介して前記共有データの削除情報を送信する
ことを特徴とする請求項１から４のいずれか１項に記載の通信端末装置。
【請求項６】
前記制御部は、
前記削除情報を送信した共有先の通信端末により送信される削除不可情報を受信した場合、前記共有データの削除を行わない
ことを特徴とする請求項５に記載の通信端末装置。
【請求項７】
前記制御部は、
前記共有フォルダへの共有データ登録の際、その共有データが有する属性に基づき登録の可否判定を行い、登録不可と判定された共有データの前記共有フォルダへの登録を抑制する
ことを特徴とする請求項１から６のいずれか１項に記載の通信端末装置。
【請求項８】
前記制御部は、
前記共有先データに対応する通信端末の共有フォルダに共有データが登録されない場合、当該共有データの前記共有フォルダへの登録を解除する
ことを特徴とする請求項１から７のいずれか１項に記載の通信端末装置。
【請求項９】
共有したい共有データを有する共有元の通信端末装置と、共有先の通信端末装置とが通信回線経由で接続される通信端末装置間のデータ共有方法であって、
共有元の通信端末装置に設けられている記憶部に共有フォルダを作成し、共有先の通信端末装置の宛先を登録するステップと、
前記共有先の通信端末装置に対し、共有元の通信端末装置に前記共有フォルダが作成されたことを通知するメールを送信するステップと、
前記共有先の通信端末装置が、前記共有元の通信端末装置から共有フォルダ作成の通知メールを受信すると、前記共有先の通信端末装置の記憶部に対応する共有フォルダを作成し、受信したメールに添付された共有データを前記作成された共有フォルダ内に格納するステップと、
を有することを特徴とする通信端末装置間のデータ共有方法。
【請求項１０】
記憶部に共有フォルダを作成し、共有先の通信端末装置の宛先を登録するとともに、前記宛先にしたがい前記共有先の通信端末装置に対して共有フォルダを作成したことを通知するメールを送信する共有元の通信端末装置と、
前記共有元の通信端末装置とは通信回線経由で接続され、前記共有元の通信端末装置から共有フォルダ作成の通知メールを受信すると、自身の記憶部内に対応する共有フォルダを作成し、受信したメールに添付された共有データを前記作成された共有フォルダ内に格納する共有先の通信端末装置と、
を有することを特徴とするデータ共有システム。
【発明の詳細な説明】
【技術分野】
【０００１】
本発明は、通信端末装置、および通信端末装置間のデータ共有方法、ならびにデータ共有システムに関するものである。
【背景技術】
【０００２】
携帯電話の普及に伴い、電話はもとよりメールを交換する機会が増えてきた。従来、利用者が携帯電話内のデータフォルダ内に保存してあるデータファィルを、送信先の携帯電話で共有するためにメール添付による手段を用いて行っていた。
この場合、送信元では、多くのファィルを送るためにデータフォルダ内のファイルを選択し、メール添付して送信を行うといった煩雑なユーザ操作を複数回繰り返し行う必要がある。
【０００３】
また、上記したデータファイルの共有化を容易にするために、開示希望のデータファイルをメールに添付して送信する技術が知られている（例えば、特許文献１参照）。具体的には、データファイルと対応付けて登録されているメールアドレスを特定するメールアドレス情報により、受信したメール送信元アドレスに対してデータファイルの開示が許可されているか否かを判別し、開示が許可されている場合には、開示希望のデータファイルを添付ファイルとするメールを作成して送信元アドレスに送信するものである。
【特許文献１】特開２００１−２９７０２７号公報
【発明の開示】
【発明が解決しようとする課題】
【０００４】
しかしながら上記した特許文献１に開示された技術によれば、データ要求先から開示要求のための電子メールが送信されると、電子メールのアドレス情報が開示許可されている場合に開示希望のデータファイルを電子メールに添付して送信するため、開示要求が無い場合にはファイルデータの共有化が行えないばかりでなく、開示要求のメール添付が必要になり、したがって無駄な通信が発生する。
【０００５】
本発明は上記した課題を解決するためになされたものであり、通信端末装置間でのデータの共有化を容易に実現し、また、データを共有するためのユーザの負担を軽減した、通信端末装置、および通信端末装置間のデータ共有方法、ならびにデータ共有システムを提供することを目的とする。
【課題を解決するための手段】
【０００６】
上記した課題を解決するために本発明の第１の観点に係る通信端末装置は、共有フォルダ、および前記共有フォルダの共有先データを登録可能な記憶部と、他の通信端末との間でメールの送受信を行う通信部と、前記共有フォルダに新たに共有データが登録されると、前記登録された共有先データに対応する通信端末に前記新たな共有データを前記メールに添付して前記通信部を介して送信する制御部と、を有する。
【０００７】
また、本発明の第１の観点に係る通信端末装置において、前記制御部は、前記共有先データが新たに追加登録されると、前記新たな共有先データに対応する通信端末に前記共有フォルダ内の共有データを前記メールに添付して送信するように構成してもよい。
【０００８】
また、本発明の第１の観点に係る通信端末装置において、前記制御部は、前記通信部にて前記他の通信端末から新たな共有フォルダの登録情報を受信すると、該新たな共有フォルダに対応する共有フォルダを前記記憶部に作成するように構成してもよい。
【０００９】
また、本発明の第１の観点に係る通信端末装置において、前記制御部は、前記通信部にて前記共有先データに対応する通信端末から新たな共有データが添付されたメールを受信すると、前記記憶部の共有フォルダに前記新たな共有データを記憶させるように構成してもよい。
【００１０】
また、本発明の第１の観点に係る通信端末装置において、前記制御部は、前記記憶部に記憶された共有フォルダ内の共有データを削除する場合、前記共有先データとして登録されている共有先の通信端末に、前記通信部を介して前記共有データの削除情報を送信するように構成してもよい。
【００１１】
また、本発明の第１の観点に係る通信端末装置において、前記制御部は、前記削除情報を送信した共有先の通信端末により送信される削除不可情報を受信した場合、前記共有データの削除を行わないように構成してもよい。
【００１２】
また、本発明の第１の観点に係る通信端末装置において、前記制御部は、前記共有フォルダへの共有データ登録の際、その共有データが有する属性に基づき登録の可否判定を行い、登録不可と判定された共有データの前記共有フォルダへの登録を抑制するように構成してもよい。
【００１３】
また、本発明の第１の観点に係る通信端末装置において、前記制御部は、前記共有先データに対応する通信端末の共有フォルダに共有データが登録されない場合、当該共有データの前記共有フォルダへの登録を解除するように構成してもよい。
【００１４】
上記した課題を解決するために本発明の第２の観点に係る通信端末装置間のデータ共有方法は、共有したい共有データを有する共有元の通信端末装置と、共有先の通信端末装置とが通信回線経由で接続される通信端末装置間のデータ共有方法であって、共有元の通信端末装置に設けられている記憶部に共有フォルダを作成し、共有先の通信端末装置の宛先を登録するステップと、前記共有先の通信端末装置に対し、共有元の通信端末装置に前記共有フォルダが作成されたことを通知するメールを送信するステップと、前記共有先の通信端末装置が、前記共有元の通信端末装置から共有フォルダ作成の通知メールを受信すると、前記共有先の通信端末装置の記憶部に対応する共有フォルダを作成し、受信したメールに添付された共有データを前記作成された共有フォルダ内に格納するステップと、を有する。
【００１５】
上記した課題を解決するために本発明の第３の観点に係るデータ共有システムは、記憶部に共有フォルダを作成し、共有先の通信端末装置の宛先を登録するとともに、前記宛先にしたがい前記共有先の通信端末装置に対して共有フォルダを作成したことを通知するメールを送信する共有元の通信端末装置と、前記共有元の通信端末装置とは通信回線経由で接続され、前記共有元の通信端末装置から共有フォルダ作成の通知メールを受信すると、自身の記憶部内に対応する共有フォルダを作成し、受信したメールに添付された共有データを前記作成された共有フォルダ内に格納する共有先の通信端末装置と、を有するものである。
【発明の効果】
【００１６】
本発明によれば、通信端末装置間でのデータの共有化を容易に実現し、また、データを共有するためのユーザの負担を軽減した、通信端末装置、および通信端末装置間のデータ共有方法、ならびにデータ共有システムを提供することができる。
【発明を実施するための最良の形態】
【００１７】
図１は、本発明の実施の形態に係る通信端末装置の内部構成を示すブロック図である。図１に示されるように、通信端末装置は、通信部１と、制御部２と、記憶部３と、音声処理部４と、表示部５と、操作部６とにより構成される。
【００１８】
通信部１は、不図示の基地局のいずれかによって割り当てられるチャネルを用い、当該基地局との間で無線通信回線を介して無線信号の送受信を行う。ここでは、不図示の他の携帯電話との間でメールの送受信を行う。
【００１９】
制御部２は、携帯電話の制御中枢となり、アドレス、データ、コントロールのためのラインが複数本で構成されるシステムバス７を介して共通接続される、通信部１、記憶部３と、音声処理部４、表示部５、操作部６を制御する他に、ここでは、記憶部３に割り付けられ記憶される共有フォルダに新たに共有データとしてのデータファイルが登録されると、共有データとしての宛先が登録された共有先の携帯電話に新たなデータファイルをメールに添付し、通信部１を介して自動送信する機能を持つ。また、通信部１にて他の通信端末装置から新たな共有フォルダの登録情報を受信すると、該新たな共有フォルダに対応する共有フォルダに対応する共有フォルダを記憶部３に作成する機能も持つ。このため、制御部２は、ファイル管理部２１と、メール管理部２２と、通信処理部２３とを有する。
【００２０】
ファイル管理部２１は、記憶部３に記憶されているデータを管理するファイルシステムとしての機能を有し、記憶部３にデータファイルやフォルダを割り付け、登録、更新、削除を行う。ファイル管理部２１は、共有フォルダの管理を行うため、ＧＵＩ（Graphical User Interface）部２１１と、ファイルアプリ処理部２１２と、データ共有処理部２１３とを有する。
【００２１】
ＧＵＩ部２１１は、後述する表示部５と操作部６を介し、例えば、共有フォルダ作成要求、共有フォルダの共有先（宛先）に関するユーザ指示入力を取り込み、あるいは結果をユーザに通知するマンマシンとして動作する。
【００２２】
また、ファイルアプリ処理部２１２は、データ共有処理部２１３と協働して、記憶部３に対して上記したフォルダの割り付け、登録、更新、削除のための処理を実行する。なお、データ共有処理部２１３は、上記の他に、メール管理部２２がデータファイル（共有データ）を添付するときのインタフェースとしても機能する。
【００２３】
メール管理部２２は、メールアプリ（メーラ）を実行制御し、メールを作成し、閲覧し、また、通信処理部２３と協働してメールの送受信を行う機能を有し、このため、メール管理部２２は、ＧＵＩ部２２１と、メールアプリ処理部２２２とにより構成される。
ＧＵＩ部２２１は、後述する表示部５と操作部６を介し、例えば、メール作成時のユーザ入力を取り込み、あるいは共有先の通信端末装置から送信されるメールを受信したときにピクト表示によりユーザに通知する。
メールアプリ処理部２２２は、メールの作成、編集、そして閲覧のための制御を行う。なお、通信処理部２３は、例えば、ＳＭＳ（Short Message System）等、既知のメール送受信プロトコルにしたがい通信部１を介してメールの送受信を行う機能を有する。
【００２４】
一方、記憶部３には、制御部２が実行する上記したファイルアプリ、メールアプリ等のアプリケーションプログラムや、当該アプリケーションプログラムが参照するテーブル、フォルダ、あるいは作業領域として使用するデータのそれぞれが格納される記憶領域が割り付けられ、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成されるものとする。
【００２５】
また、音声処理部４は、スピーカ（ＳＰ）から出力される音声信号やマイクロフォン（ＭＩＣ：以下、マイクという）を介して入力される音声信号の処理を行う。
すなわち、音声処理部４は、マイクから入力される音声を増幅し、アナログ／デジタル変換を行い、更に符号化等の信号処理を施し、デジタルの音声データに変換して制御部２に出力する。
また、音声処理部４は、制御部２から供給される音声データに復号化、デジタル／アナログ変換、増幅等の信号処理を施し、アナログの音声信号に変換してスピーカに出力する。
【００２６】
表示部５は、例えば、ＬＣＤ（Liquid Crystal Display Device）パネルや有機ＥＬ（Electro-Luminescence）パネルなどの表示デバイスを用いて構成されており、制御部２から供給される映像信号に応じた画像を表示する。
表示部５は、例えば、通信端末装置発信時における発信先の電話番号、着信時における着信相手の電話番号、受信メールや送信メールの内容、日付、時刻、アンテナレベル、バッテリ残量等のピクト、発信成否、待ち受け画面などの各種の情報や画像を表示する。
また、操作部６は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部２に入力する。
【００２７】
図２〜図４は、図１に示す本発明の実施の形態に係る通信端末装置を用いたデータ共有システムの動作を説明するために示したシーケンス図である。
ここでは、共有フォルダの新規作成（図２）、共有フォルダへのデータ保存（図３）、共有フォルダ内のデータ操作（図４）のそれぞれにおける、共有元通信端末装置１０と、共有先通信端末装置２０の各構成ブロック間の処理シーケンスが示されている。
以下、図２〜図４のシーケンス図を参照しながら本発明の実施の形態に係る通信端末装置、およびデータ共有システムの動作について詳細に説明を行うが、理解を深める意味で、本発明の実施の形態に係るデータ共有システムが有する機能と処理の流れについて概略説明を行う。
【００２８】
本発明の実施の形態に係るデータ共有システムは、データフォルダ（記憶部）に共有フォルダを作成し、共有先通信端末装置２０の宛先を登録するとともに、当該宛先にしたがい共有先通信端末装置２０に対して共有フォルダを作成したことを通知するメールを送信する共有元通信端末装置１０と、共有先通信端末装置２０とは、不図示のＩＰ（Internet Protocol）網等の無線通信回線経由で接続され、共有元通信端末装置１０から共有フォルダ作成の通知メールを受信すると、自身のデータフォルダ（記憶部）内に対応する共有フォルダを作成し、受信したメールに添付されたデータファイル（共有データ）を作成された共有フォルダ内に格納する共有先通信端末装置２０と、により構成される。
【００２９】
本発明の実施の形態に係るデータ共有システムにおいて、特徴的には、不図示の無線通信回線経由で接続される通信端末装置１０、２０のデータフォルダに、仮想的な、いわゆる”共有フォルダ”を設けることにある。そして、共有したいデータファイル（共有データ）を有する共有元通信端末装置１０の共有元ユーザは、共有元通信端末装置１０上に共有フォルダを作成し（領域割り当て）、更に、共有先通信端末装置２０の宛先を共有先データとして登録する。このことにより、共有先通信端末装置２０には、共有元通信端末装置１０から新たな共有フォルダを作成したことを通知するメールが送信される。
一方、共有先ユーザの共有先通信端末装置２０側では、共有元ユーザの共有元通信端末装置１０から共有フォルダ作成の通知メールを受信すると、共有先通信端末装置２０のデータフォルダ内に上記した新たな共有フォルダに対応する共有フォルダが自動的に作成される。そして、共有先通信端末装置２０は、共有元通信端末装置１０からのメールを受信し、この受信したメールに共有元通信端末装置１０の共有フォルダに登録された共有データとしてのデータファイルが添付されている場合に、この受信したメールに添付されたデータファイルを自動的に対応して作成された共有フォルダ内に格納することができる。
【００３０】
以下、図２〜図４のシーケンス図を参照しながら、共有元通信端末装置１０、共有先通信端末装置２０の各構成ブロックの動作について詳細に説明する。
まず、図２に示す共有フォルダの新規作成ケースから説明する。図２のシーケンス図において、共有元ユーザは、まず、共有元通信端末装置１０を操作して記憶部に共有フォルダを作成する（ステップＳ２０１）。ファイル管理部２１は、ＧＵＩ部２１１経由で共有フォルダの作成要求を受信し、ファイルアプリ処理部２１２とデータ共有処理部２１３との間のやりとりにより、記憶部３の適当な領域にフォルダ領域を割当てる（ステップＳ２０２）。この領域割り当て処理の後、ファイルアプリ処理部２１２は、ＧＵＩ部２１１経由で共有元ユーザに対し共有先（宛先）の問い合わせを行う（ステップＳ２０３）。
【００３１】
次に、共有元ユーザは、表示部５に表示された問い合わせメッセージに対し、操作部６を操作することにより共有先入力を行う（ステップＳ２０４）。共有先の入力を取得したファイルアプリ処理部２１２は、データ共有処理部２１３経由でメール管理部２２のメールアプリ処理部２２２を起動し、共有先の通信端末装置２０に対して共有要求メールを送信するようにメール作成を依頼する（ステップＳ２０５）。
メール作成要求を受信したメールアプリ処理部２２２は、共有の可否について問い合わせる共有要求メールを作成し、通信処理部２３経由で共有先通信端末装置２０に対してその共有要求メールを送信する（ステップＳ２０６）。
【００３２】
共有先通信端末装置２０は、その共有要求メールを、不図示の無線通信回線（基地局を含む通信網）を経由して通信処理部２３'が受信する。共有先通信端末装置２０の通信処理部２３'は、その共有要求メールをメール管理部２２'のメールアプリ処理部２２２'に転送し、メールアプリ処理部２２２'は、ＧＵＩ部２２１を介して共有先ユーザに通知して共有の可否について問い合わせを行う（ステップＳ２０７）。
共有先のユーザは、表示部５に表示された共有要求メールを閲覧し、操作部６を操作することによりフォルダ共有の可否について入力する（ステップＳ２０８）。ここで、共有が許可された場合、ファイル管理部２１'に制御が移り、ファイル管理部２１'のファイルアプリ処理部２１２'は、データ共有処理部２１３'との間で、記憶部３'に共有フォルダ用の領域を割当てて、共有元通信端末装置１０に作成された共有フォルダに対応した共有フォルダが作成される（ステップＳ２０９）。そして、データ共有処理部２１３'は、メール管理部２２'のメールアプリ処理部２２２'を起動し、共有元の通信端末装置１０に対して対応する共有フォルダの作成が完了したことを示す共有応答メールを送信することを要求する（ステップＳ２１０）。メールアプリ処理部２２２'は、要求にしたがい共有応答メールを生成し、通信処理部２３、不図示の無線通信回線経由で共有元通信端末装置１０に生成された共有応答メールを送信する（ステップＳ２１１）。
【００３３】
共有元通信端末装置１０では、通信処理部２３により共有応答メールを受信し、メールアプリ処理部２２２は、その旨、ＧＵＩ部２２１経由で表示部５に表示する。共用元のユーザは、共有応答メールにより、共有先通信端末装置２０で共有フォルダの作成が完了したことを知ることができる（ステップＳ２１２）。
なお、共有元通信端末装置は、共有フォルダの作成完了を示す共有応答メールが共有要求メールの送信から所定時間経過しても受信されなかったり、共有フォルダ作成の不可を示す共有不可メールを受信した場合には、ステップＳ２０１、Ｓ２０２で作成された共有フォルダを削除するように構成してもよい。
【００３４】
なお、上記したメール（共有要求メール、共有応答メール）の送受信は、既存のインフラを使用したメールシステムを想定しているが、通常のメールとは区別され、通信端末装置１０、２０内において管理され、あるいは保存されないものとする。
【００３５】
次に、図３に示す共有フォルダへのデータ保存のケースについて説明する。以降、共有元通信端末装置１０、共有先通信端末装置２０の各構成ブロック間の処理の流れについては、図２に示した新規フォルダ作成処理と重複するため説明を省略し、以降、共有元通信端末装置１０と、共有先通信端末装置２０間のシーケンスに着目して説明する。
【００３６】
まず、共有元ユーザは、共有元通信端末装置１０を操作して共有したい共有データを先に作成した共有フォルダへ格納する（ステップＳ３０１）。このとき、共有元通信端末装置１０のファイル管理部２１（ファイルアプリ処理部２１２とデータ共有処理部２１３）は、記憶部３の、先に共有フォルダが割り当てられた領域に対して共有したい共有データを書き込む。
次に、ファイル管理部２１は、メール管理部２２（メールアプリ処理部２２２）に対し、共有データをファイル添付したメールの作成を要求し、これを受けたメールアプリ処理部２２２は、共有データ送付メールを生成して共有先通信端末装置２０へ無線通信網経由で送信する。
【００３７】
共有データが添付されたメールを受信した共有先通信端末装置２０は、表示部５に共有フォルダ更新メッセージを表示して共有先ユーザに通知するとともに（ステップＳ３０３）、共有元通信端末装置１０に対し、対応する共有フォルダに共有データを格納したことを示す共有フォルダ格納結果メールを送信する（ステップＳ３０４）。これを受信した共有元通信端末装置１０は、表示部に格納完了メッセージを表示して共有元ユーザに通知する（ステップＳ３０５）。
なお、上記した共有フォルダへの共有データ保存のケースにおいて、メール送受信サイズを超える共有データについて、あるいは、共有先の記憶領域に空き容量が無い場合は、共有できないことを警告する必要があり、また、著作権管理されているデータ等については共有を制限する必要がある。これらについては後述する。
【００３８】
ところで、共有元ユーザの共有元通信端末装置１０が、共有フォルダに共有データとしてのファイルを移動し、あるいはコピー等の編集を行うと、共有元通信端末装置１０に搭載される既存のメール送信のプロトコルを利用して、共有フォルダに登録しておいた宛先（共有先の通信端末装置２０）にそのデータファイル（共有データ）が自動送信される。なお、受信したメールが削除され、あるいは共有フォルダに更新があった場合は、ピクト変更、共有フォルダアイコン変更、待ち受け画面のお知らせ通知等により通知されるものとする。
なお、共有先通信端末装置２０が、共有データ送付メールを受信した後に、共有データの共有フォルダへの格納を拒否した場合には、当該共有データの共有フォルダへの格納を行わないと共に、共有フォルダ格納結果メールに代わって共有拒否メールを共有元通信端末装置１０へ送信する。そして、共有元通信端末装置１０は、この共有拒否メールを受信した場合、又は共有データ送付メールを送信してから所定時間が経過しても共有フォルダ格納結果メールを受信しない場合には、共有先通信端末装置２０にて共有データの共有フォルダへの格納が行われなかったと判断し、ステップＳ３０１にて共有フォルダに格納された共有データを共有フォルダから削除する。これにより、共有元通信端末装置１０の共有フォルダと共有先通信端末装置２０の共有フォルダとを整合させることができる。
以下、図４のシーケンス図を参照して共有フォルダ内のデータを操作するケースについて詳細に説明する。
【００３９】
図４のシーケンス図において、共有元ユーザは、共有元通信端末装置１０を操作して共有フォルダの削除、移動、編集又は共有フォルダ内の共有データの削除、移動、編集を行ったとする（ステップＳ４０１）。これを受けて共有元通信端末装置１０は、共有先通信端末装置２０に対し、共有フォルダ又は共有フォルダ内の共有データの状態変更（削除／移動）メールを送信する（ステップＳ４０２）。この状態変更メールを受信した共有先の通信端末装置２０は、例えば、表示部に共有フォルダの更新メッセージを表示することにより共有先ユーザに対して共有フォルダの更新通知を行うとともに（ステップＳ４０３）、共有元の通信端末装置１０に対し、共有フォルダ変更結果メールを送信するとともに、共有フォルダ又は共有データの状態変更に沿った処理（削除、移動、編集）を行う（ステップＳ４０４）。これを受信した共有元の通信端末装置１０は、例えば、表示部に操作結果のメッセージを表示することにより共有元ユーザにその旨通知する（ステップＳ４０５）。なお、編集等により、共有フォルダ内のデータ変更があった場合には上記した状態変更メールにその内容を添付し、削除や移動の場合には、その内容のみ通知することとする。
【００４０】
一方、共有先ユーザが共有先通信端末装置２０を操作して共有フォルダ又は共有フォルダ内の共有データの削除、移動、編集を行った場合（ステップＳ４０６）、共有先通信端末装置２０は、共有元通信端末装置１０に対して状態変更メールを送信する（ステップＳ４０７）。これを受けた共有元通信端末装置１０は、共有元ユーザに対して共有フォルダの更新通知を行うと共に（ステップＳ４０８）、共有先通信端末装置２０に対して共有フォルダ変更結果メールを送信するとともに、共有フォルダ又は共有データの状態変更に沿った処理（削除、移動、編集）を行う。そして、共有先ユーザに対して共有元での変更結果通知を行う（ステップＳ４０９、Ｓ４１０）。このように、共有先で共有フォルダ内のデータ操作を行った場合、共有元とファイル同期を取る必要がある。
なお、状態変更メールを受信した側の通信端末装置は、共有フォルダ又は共有フォルダ内の共有データの状態変更（削除／移動／編集）を許可しない場合には、共有フォルダ変更結果メールに代えて状態変更不可メールを送信する。そして、状態変更メールを送信した側の通信端末装置は、状態変更不可メールを受信した場合は、送信する。状態変更メールを送信してから所定時間が経過するまでの間に共有フォルダ変更結果メールを受信しない場合には、共有フォルダ又は共有フォルダ内の共有データの状態変更（削除／移動／編集）をキャンセルするようにして整合をとるようにすれば良い。
【００４１】
以上、図２〜図４に示すシーケンス図を参照しながら説明したように、共有元通信端末装置１０の共有フォルダにデータファイル（共有データ）が登録されると、共有先通信端末装置２０にそのデータファイルがメールに添付されて自動送信され、共有先通信端末装置２０内に対応して作成された共有フォルダに格納されるため、開示要求を行うことなくデータファイルの共有が可能になる。また、共有元あるいは共有先の通信端末装置１０、２０のいずれかでで、一旦作成したフォルダ内のデータ操作が行われた場合、互いにメールで通知しあうことで内容の同期がとられ、データの保全がはかれる。
【００４２】
以下、図１に示す本発明の実施の形態に係る通信端末装置の動作について補足説明を行う。共有したい共有データとしてのデータファイルを有する共有元通信端末装置１０は、共有フォルダを能動的に作成し、宛先を登録する機能と、共有フォルダ内におけるデータファイルを操作する機能と、メール送受信による共有先通信端末装置２０との伝達機能とを有する。
したがって、共有元の通信端末装置１０は、まず、制御部２（ファイル管理部２１）にて共有フォルダを作成して記憶部３の任意の領域にその記憶領域を割当てる。また、共有元の通信端末装置１０は、メール管理部２２のＧＵＩ部２２１を介して共有元ユーザが操作する操作部６との間で交信を行うことで、共有先となる通信端末装置２０の宛先を登録すると、通信処理部２３、通信部１、そして、不図示の無線通信回線経由で、共有先の通信端末装置２０に対して共有フォルダを作成したことを伝えるメールを自動送信する。
【００４３】
次に、共有元の通信端末装置１０が、その共有フォルダに共有したいデータファイルを保存する操作を行った場合、ファイル管理部２１とメール管理部２２とが協働することにより、共有先の通信端末装置２０に対して当該データファイルをファイル添付したメールを作成し、通信処理部２３にて送信する。このとき、メール管理部２２にてそのメールを生成し、当該作成されたメールにファイル管理部２１で生成されたデータファイルを添付し、通信処理部２３を介して共有フォルダに登録しておいた宛先の通信端末装置２０に対して送信する。
また、共有元あるいは共有先の通信端末装置１０、２０のファイル管理部２１にて共有フォルダ又は共有フォルダ内のデータファイルが操作された場合も同様、それぞれ相手先の通信端末装置１０、２０に対し、操作後の共有データをファイル添付したメールを送信する。このとき、メール管理部２２にてメールを生成し、当該作成されたメールにファイル管理部２１にて操作された後のデータファイルを添付し、通信処理部２３を介して送信する。
【００４４】
なお、共有フォルダからデータファイルを移動／削除等の操作を行った場合には、共有フォルダに登録しておいた宛先となる通信端末装置１０、２０へ、削除したことを伝えるメールを自動送信することで、ファイル共有処理を終了することができる。
また、宛先指定したメールアドレスの通信端末装置１０、２０が上記した共有フォルダを扱う機能に対応していない場合には、通常の添付ファイル付きメールとして扱われ、したがって、削除したいことが記述されたメールが相手先に通知されるのみとなる。更に、著作権のあるデータは共有フォルダへの登録や移動／コピーができないように制限が設けられる。すなわち、制御部２は、共有フォルダへのデータ登録の際、例えば、メールヘッダ等を参照することによりそのデータが有する属性に基づき登録の可否判定を行い、著作権があるため登録不可と判定されたデータについては共有フォルダへの登録を抑制する。
【００４５】
一方、共有先の通信端末装置２０は、共有フォルダを受動的に作成する機能と、共有フォルダ内でのファイル操作機能と、メール送受信によるデータファイルの共有フォルダへの格納、あるいは削除機能とを有する。
すなわち、共有元の通信端末装置１０から共有フォルダ作成の通知メールを受信すると、ファイル管理部２１は、データフォルダ内に共有フォルダを作成して記憶部３に割り付け、このとき共有先の通信端末装置２０は、メール管理部２２により登録先（宛先）として共有元の通信端末装置１０を設定する。なお、共有元の通信端末装置１０は、共有フォルダ作成の通知メールを送信する際に、自身の端末に登録されている宛先（共有先）の共有先データを通知メールに添付して送付するように構成し、共有先の通信端末装置２０は、通知メールに共有先データが添付されている場合には、この共有先データに応じた宛先を共有先として登録するようにしてもよい。また、ファイル管理部２１は、通信部１および通信処理部２３を介して受信したメールの添付ファィルをファイル管理部２１へ引き渡し、このとき、ファイル管理部２１は記憶部３に割り付けてある共有フォルダに格納する。共有フォルダに格納される添付ファイルは、メールの発信元がフォルダに登録されており、かつ、メールヘッダ、または本文、あるいはその両方に共有フォルダであることが識別できる識別子が付与されている場合に限る。なお、このとき、受信したメール本文は削除され、共有フォルダのデータファイルに内容変更があったことは、表示部５により、ピクト表示／共有フォルダアイコン変更／待ち受け画面のお知らせ通知等でユーザに通知されるものとする。
【００４６】
また、共有フォルダ内に格納されるデータファイルは、共有元の通信端末装置１０が共有先の通信端末装置２０に対して、コピーや削除等のアクセス権限を設定した場合に限り、共有フォルダからデータファイルを移動し、あるいは削除することが許可される。ここで、移動、あるいは削除した場合には、共有元の通信端末装置１０と同様、共有フォルダに設定された宛先に対し、削除したことを通知するメールを自動生成して送信するものとする。
【００４７】
以上説明のように本発明の実施の形態に係る通信端末装置、あるいはデータ共有システムによれば、共有フォルダに共有したいデータファィルを保存するだけで、開示要求を行うことなく指定した相手とのデータファイルの共有化を容易に実現し、そのためのユーザの負担を軽減することができる。
また、共有フォルダ上のデータファイルを操作した場合にも相手にメールで伝達することにより同期化がはかれ、データの保全がはかれる。また、本発明の実施の形態に係る通信端末装置、通信システムによれば、特別なサーバ設備を必要とすることなく、既存のメール送受信プロトコルを利用するだけでファイル共有を実現するサービスを実現できる。
【００４８】
なお、本発明の実施の形態に係る通信端末装置間のデータ共有方法は、例えば、図２〜図４のシーケンス図において、共有したいデータファイル（共有データ）を有する共有元の通信端末装置１０と、共有先の通信端末装置２０とが不図示の無線通信回線経由で接続される通信端末装置間のデータ共有方法であって、共有フォルダを作成し、共有先の通信端末装置２０の宛先を登録するステップ（Ｓ２０１〜Ｓ２０４）と、前記共有先の通信端末装置２０に対し、前記共有フォルダを作成したことを通知するメールを送信するステップ（Ｓ２０５〜Ｓ２１０）と、前記共有先の通信端末装置２０が、前記共有元の通信端末装置１０から共有フォルダ作成の通知メールを受信すると、データフォルダ内に共有フォルダを作成し、前記受信したメールに添付されたデータファイルを前記作成された共有フォルダ内に格納するステップ（Ｓ３０１〜Ｓ３０５）と、を有するものである。
【００４９】
本発明の実施の形態に係る通信端末装置間のデータ共有方法によれば、開示要求を行うことなくデータファイルの共有化を容易に実現し、また、データファイルを共有するためのユーザの負担を軽減することができる。
【００５０】
なお、上記した本発明の実施の形態１によれば、通信端末装置として、携帯電話に限らず、ＰＤＡ（Personal Digital Assistants）、やゲーム機等にも同様に適用が可能である。また、通信端末装置が有する各構成ブロックの機能は、全てをソフトウェアによって実現しても、あるいはその少なくとも一部をハードウェアで実現してもよい。例えば、制御部２を構成する、ファイル管理部２１、メール管理部２２におけるデータ処理は、１または複数のプログラムによりコンピュータ上で実現してもよく、また、その少なくとも一部をハードウェアで実現してもよい。また、通信端末装置間を接続する通信回線は有線であってもよい。
【図面の簡単な説明】
【００５１】
【図１】本発明の実施の形態に係る通信端末装置の内部構成を示すブロック図である。
【図２】本発明の実施の形態に係る通信端末装置の共有フォルダ新規作成時の動作を示すシーケンス図である。
【図３】本発明の実施の形態に係る通信端末装置の共有フォルダへのデータ保存時の動作を示すシーケンス図である。
【図４】本発明の実施の形態に係る通信端末装置の共有フォルダ内のデータ操作時の動作を示すシーケンス図である。
【符号の説明】
【００５２】
１…通信部、２…制御部、３…記憶部、４…音声処理部、５…表示部、６…操作部、１０、２０…通信端末装置、２１…ファイル管理部、２２…メール管理部、２３…通信処理部、２１１…ＧＵＩ部、２１２…ファイルアプリ処理部、２１３…データ共有処理部、２２１…ＧＵＩ部、２２２…メールアプリ処理部。
【図１】
2008250572.tif 000003
【図２】
2008250572.tif 000004
【図３】
2008250572.tif 000005
【図４】
2008250572.tif 000006